(57)【特許請求の範囲】
【請求項１】
天井の下方につり下げる反射型高天井灯であって、
ランプホルダーと、
一つの側辺は係合突起リブを形成し、もう一つの側辺は係合溝を形成する、前記係合突起リブを介して、前記係合溝の内部にて嵌設し互いに接続して、前記ランプホルダーの一つの側辺に組み付ける、複数の繋ぎ合わせ板と、
それぞれ前記繋ぎ合わせ板の一つの側辺から外部に突き出して形成する、放熱板と、
それぞれ各前記放熱板の一表面に設けられ、電気回路板と、複数の発光ダイオードと、を有する、複数の照明モジュールと、
前記繋ぎ合わせ板と、前記放熱板と前記照明モジュールの外側に被せられ、上面は前記ランプホルダーの上面に連接していて、収容部と、弧形延在部と、を有する、前記繋ぎ合わせ板の一部は前記収容部に収容され、他の一部は突き出して弧形延在部に延在されている、ランプシェードと、を備え、
各前記発光ダイオードは、前記ランプシェードの内壁面向きに取り付けられている、
反射型高天井灯。
【請求項２】
前記弧形延在部の内壁面は反射面を設けられ、各前記発光ダイオードより出射する光線はまず反射面に照射した後、前記反射面を介して、前記ランプシェードの外側に反射することを特徴とする、請求項１記載の反射型高天井灯。
【請求項３】
前記収容部の側壁表面は、複数の放熱穴を開けられ、前記放熱穴は間隔置きに設けることを特徴とする、請求項２記載の反射型高天井灯。
【請求項４】
複数の前記繋ぎ合わせ板の中央部は、縦方向の溝穴を形成することを特徴とする、請求項３記載の反射型高天井灯。
【請求項５】
前記係合突起リブは円弧突起面を形成し、前記係合溝は前記円弧突起面と互いに嵌着する円弧凹面を有することを特徴とする、請求項４記載の反射型高天井灯。
【請求項６】
前記ランプホルダーは、当該反射型高天井灯が前記天井の下方につり下げられた状態で定義される上下方向に位置する一対の台板と、当該一対の台板のうちの上方の台板に設けられて前記天井の下方に吊り下げ可能な吊り輪と、を有し、
前記一対の台板の各々に対し、各前記繋ぎ合わせ板の前記上下方向に対応する前記縦方向の溝穴に対応する場所は通し穴を開けられ、対応のねじが前記一対の台板の通し穴を貫いて、前記縦方向の溝穴に締めることによって、各前記繋ぎ合わせ板を前記一対の台板の間に取り付けることを特徴とする、請求項５記載の反射型高天井灯。
【発明の詳細な説明】
【技術分野】
【０００１】
本発明は高天井灯に関し、特に反射型高天井灯に関する。
【背景技術】
【０００２】
高天井灯の多くは天井の下方につり下げられていて、工場建物、倉庫、駅ホールまたは広範囲の照明環境に使用する照明器具に使用され、一般的に電力消費が４００ワット以上、灯具の種類は水銀灯（またはその一部はナトリウムランプ）が主である。
【発明の概要】
【発明が解決しようとする課題】
【０００３】
公知技術の高天井灯は、図１に示すとおり、その基本構造は電源コードを内設するランプホルダー１１と、ランプホルダー１１に取り付けるランプシェード１２と、照明モジュール１３からなる。そのうち、照明モジュール１３は複数の発光ダイオード１３１によって組み合わされ、ランプシェード１２の内部に設けられている。しかし、公知技術の高天井灯について、その光源の投射方式は直下式がほとんどであるほか、光線は直接下方の床部に投射されるため、下方に居合わせた人員は光線が強すぎて、まぶしさを感じて作業効率に影響し、また健康に危害を及ぼす。
【課題を解決するための手段】
【０００４】
本発明の主な目的は、反射型高天井灯を提供する。公知技術の直下式高天井灯の光線が強すぎて、健康並び作業効率に影響を与える問題の改善を図る。
【０００５】
前述目的を達成するため、本発明の反射型高天井灯は天井の下方に吊り下げられ、ランプホルダーと、複数の繋ぎ合わせ板と、複数の放熱板と、複数の照明モジュールと、一つのランプシェードと、を備える。各繋ぎ合わせ板の一つの側辺は係合突起リブを形成し、もう一つの側辺は係合溝を形成する。各繋ぎ合わせ板は係合突起リブを介して、係合溝の内部に嵌設し互いに接続して、ランプホルダーの一つの側に組み付ける。
放熱板は、それぞれ繋ぎ合わせ板の一つの側辺から外部に突き出して形成される。照明モジュールは、それぞれ各放熱板の一表面に設けられ、各照明モジュールは電気回路板と、複数の発光ダイオードと、を有する。ランプシェードは繋ぎ合わせ板と、放熱板と、照明モジュールの外側に被せていて、ランプシェードの上面はランプホルダーの上面に連接され、ランプシェードは収容部と、弧形延在部と、を有する。繋ぎ合わせ板の一部は収容部に収容され、他の一部は突き出して弧形延在部に延在されている。そのうち、各発光ダイオードは、ランプシェードの内壁面向きに取り付けられている。
【０００６】
そのうち、弧形延在部の内壁面は反射面を設け、各発光ダイオードより出射する光線は、まず反射面に照射してから反射面を介して、ランプシェードの外側に反射される。
【０００７】
そのうち、収容部の側壁表面は、複数の放熱穴を開けられ、放熱穴は間隔置きに設けられている。
【０００８】
そのうち、各繋ぎ合わせ板と各放熱板はアルミ押出成形方式によって、一体に成形されている。
【０００９】
そのうち、各繋ぎ合わせ板の中央部は縦方向の溝穴が形成されている。
【００１０】
そのうち、各放熱板が繋ぎ合わせ板向きの一側面は複数の放熱フィンが形成され、放熱フィンは平行して間隔置きに排列されている。
【００１１】
そのうち、係合突起リブは円弧状の突起面を設けられ、係合溝は円弧状の突起面と互いに嵌着可能な円弧凹面が設けられている。
【００１２】
そのうち、ランプホルダーは台板と、吊り輪からなり、吊り輪は台板の一つの側に設けられている。
【００１３】
そのうち、台板が各繋ぎ合わせ板の縦方向の溝穴に対応する場所は通し穴を開けられ、対応のねじが通し穴を貫通して縦方向の溝穴に締めつけることによって、各繋ぎ合わせ板を台板に取り付ける。
【発明の効果】
【００１４】
本発明の反射型高天井灯の主な効果は繋ぎ合わせ方式の灯具組合せによって、モジュール化方式により、大きさの異なる灯具を必要に応じて組み合わせて、さまざまな場面に適用できる。
本発明の反射型高天井灯もう一つの効果は発光ダイオードの出射光線はまず反射面に照射してから、反射面から外部に反射させるため、発光が均一であり、過度に集中することはない。
【図面の簡単な説明】
【００１５】
【図１】公知技術の高天井灯の態様図である。
【図２】本発明の反射型高天井灯の好ましい実施例の分解図（その１）である。
【図３】本発明の反射型高天井灯の好ましい実施例の分解図（その２）である。
【図４】本発明の反射型高天井灯の好ましい実施例において、ランプホルダーを取り外したときの上面図である。
【図５】本発明の反射型高天井灯の組合せ態様図（その１）である。
【図６】本発明の反射型高天井灯の組合せ態様図（その２）である。
【図７】本発明の反射型高天井灯の立体態様図である。
【図８】本発明の反射型高天井灯の反射照明態様図である。
【図９】本発明の反射型高天井灯の光形図である。
【発明を実施するための形態】
【００１６】
本発明の内容のさらなる理解を図るため、以下にて図面と合わせて説明する。
【実施例】
【００１７】
図２ないし４の、本発明の反射型高天井灯の好ましい実施例の分解図その１、その２およびランプホルダーを取り外されたときの上面図を参照する。図において、反射型高天井灯２は天井の下方に吊り下げられており、反射型高天井灯２は、ランプホルダー２１と、複数の繋ぎ合わせ板２２と、複数の放熱板２３と、複数の照明モジュール２４と、一つのランプシェード２５と、を備える。
【００１８】
そのうち、ランプホルダー２１は台板２１１と、吊り輪２１２からなり、吊り輪２１２は台板２１１の一つの側に設けられている。このほか、台板２１１はさらに複数の通し穴２１１１を開けられ、各通し穴２１１１はそれぞれ繋ぎ合わせ板２２に対応している。
【００１９】
各繋ぎ合わせ板２２はアルミ押出成形方式により仕上げられ、各繋ぎ合わせ板２２の一つの側辺は係合突起リブ２２１を形成し、もう一つの側辺は係合溝２２２を形成する。中央部は、縦方向の溝穴２２３を形成されている。本実施例において、各係合突起リブ２２１は円弧状の突起面を設けられ、各係合溝２２２は円弧状の突起面と互いに嵌着可能な円弧凹面を設けられている。縦方向の溝穴２２３は締めつけに備えられ、繋ぎ合わせ板２２はランプホルダー２１の台板２１１に固定することができる。
【００２０】
放熱板２３は各繋ぎ合わせ板２２の表面から突起状を形成するか、または繋ぎ合わせ板２２と合わせて一体に成形しても良い。すべてはアルミ材の押出成形方式による。そのうち、各放熱板２３が繋ぎ合わせ板２２向きの一側面は複数の放熱フィン２３１を形成され、放熱フィン２３１は平行して間隔置きに排列して放熱効果を増強できる。各係合溝２２２の外形は、他の繋ぎ合わせ板２２の係合突起リブ２２１と互いに嵌着できるように設計されている。このほか、金型を利用し直接にアルミ材を押出成形方式によって、繋ぎ合わせ板２２と、係合突起リブ２２１と、係合溝２２２と、放熱板２３と、放熱フィン２３１を一体に成形することもできる。
【００２１】
各照明モジュール２４はそれぞれ各放熱板２３の一表面に設けられ、各照明モジュール２４は電気回路板２４１と、複数の発光ダイオード２４２より組み合わせられ、発光ダイオード２４２は電気回路板２４１の一つの側に設けられている。
【００２２】
ランプシェード２５は収容部２５１と、弧形延在部２５２と、を有する。弧形延在部２５２の内壁面は、反射面２５２１を設けられている。そのうち、ランプシェード２５は繋ぎ合わせ板２２と、放熱板２３および照明モジュール２４の外側に被せていて、かつランプシェード２５の上面はランプホルダー２１の上面に連接されている。このほか、ランプシェード２５は収容部２５１の側壁表面に複数の放熱穴２５３を設けられ、放熱穴２５３は間隔置きに設けていて放熱を助ける。
【００２３】
前述の続き、図５ないし７の、本発明の反射型高天井灯の組合せ態様図その１、その２および立体態様図を併せて参照する。反射型高天井灯２を組み立てるとき、繋ぎ合わせ板２２は係合突起リブ２２１を介して、係合溝２２２の内部に嵌着され、係合突起リブ２２１は円弧突起面を形成し、係合溝２２２は円弧突起面と互いに嵌着する円弧凹面を形成して、繋ぎ合わせ板２２を組み付ける。
このほか、台板２１１が各繋ぎ合わせ板２２の縦方向の溝穴２２３に対応する場所は、通し穴２１１１を設けられており、対応のねじ３は通し穴２１１１を貫いて縦方向の溝穴２２３の内部に締めつけて、各繋ぎ合わせ板２２を台板２１１に固着することもできる。本実施例において、各繋ぎ合わせ板２２によって繋ぎ合わせた形状は図示の八角形に限らず、三角形、正方形、菱形、六角形または他の適宜の形状が繋ぎ合わせ板２２両側に形成された係合突起リブ２２１と、係合溝２２２が隣接の繋ぎ合わせ板２２の係合溝２２２と、係合突起リブ２２１を互いに嵌着可能であれば良い。
【００２４】
図８と図９の、本発明の反射型高天井灯の照明態様図と光形図を参照する。反射型高天井灯２の組合せを完成した後、繋ぎ合わせ板２２の一部は収容部２５１に収容され、他の一部は弧形延在部２５２に突き出していて、かつ各発光ダイオード２４２ともランプシェード２５の内壁面向きに取り付けられている。発光ダイオード２４２が駆動によって発光されたとき、出射する光線はまず反射面２５２１に照射した後、反射面２５２１からランプシェード２５の外側に反射し、下方の床部に投射される。形成される光線は作業者がまぶしさを感じることはなく、従業員の健康維持および作業効率を向上させることができる。
【符号の説明】
【００２５】
１１：ランプホルダー
１２：ランプシェード
１３：照明モジュール
１３１：発光ダイオード
２：反射型高天井灯
２１：ランプホルダー
２１１：台板
２１１１：通し穴
２１２：吊り輪
２２：繋ぎ合わせ板
２２１：係合突起リブ
２２２：係合溝
２２３：縦方向の溝穴
２３：放熱板
２３１：放熱フィン
２４：照明モジュール
２４：電気回路板
２４２：発光ダイオード
２５：ランプシェード
２５１：収容部
２５２：弧形延在部
２５２１：反射面
２５３：放熱穴
３：ねじ
【図１】
0005369208.tif 000002
【図２】
0005369208.tif 000003
【図３】
0005369208.tif 000004
【図４】
0005369208.tif 000005
【図５】
0005369208.tif 000006
【図６】
0005369208.tif 000007
【図７】
0005369208.tif 000008
【図８】
0005369208.tif 000009
【図９】
0005369208.tif 000010